(57)【要約】【課題】電源と通信線が同一になって接続されている室外機と室内機からなる空気調和機で、この電源通信線が誤結線された場合で、過電圧保護手段が正常に動作しなかったとき通信回路を切り離すことにより、過電圧による通信回路の破壊を避けることで誤配線修正後の通信を継続する。【解決手段】通信回路は、室外通信接続手段１４と、室外過電圧保護手段１５と、室外過電圧検知手段１７とからなる室外機１と、室内通信手段２３とからなる室内機２からなり、電源と通信の誤配線により過電圧保護手段により保護している電圧を室外過電圧検知手段１７が検知して、電圧が高い場合は、室外通信接続手段１４をオフすることにより通信回路の破壊を防止する。【選択図】図１
2010236757.tif 000002
【特許請求の範囲】
【請求項１】
室外電源手段、室外制御手段、室外通信手段、室外通信接続手段、室外過電圧保護手段、室外通信保護手段、室外過電圧検知手段、室外通信抵抗、室外端子台からなる室外機と、室内電源手段、室内制御手段、室内通信手段、室内端子台からなる室内機とを備え、前記室外機と室内機は室外端子台と室内端子台で電源と通信線が接続され、この接続が誤配線されて室外機の通信端子に電源電圧が直接かかった場合、前記室外過電圧保護手段と室外通信保護手段により室外通信手段を保護するともに、室外通信手段に印加される過電圧を検知して、室外通信接続手段を切断することを特徴とする空気調和機の通信制御装置。
【請求項２】
請求項１に記載の空気調和機において、室外過電流検知手段を設け、通信線への過電圧印加時における室外通信保護手段に流れる過電流を検知して、室外通信接続手段を切断することを特徴とする空気調和機の通信制御装置。
【請求項３】
請求項１から請求項２のいずれかに記載の空気調和機において、室外電圧保護手段を設け、過電圧印加時における室外通信保護手段に印加される電圧が一定以上になると室外通信保護手段を短絡させて室外通信保護手段の破壊も避けることを特徴とする空気調和機の通信制御装置。
【請求項４】
請求項１から請求項３のいずれかに記載の空気調和機において、複数の室外通信抵抗を設け、室外過電圧検知手段と室外過電流検知手段により検知された電圧と電流値により室外通信抵抗を切り換えることにより室外通信手段の内部抵抗破壊による室外通信手段の全体の破壊を避けることを特徴とする空気調和機の通信制御装置。
【請求項５】
請求項１から請求項４のいずれかに記載の空気調和機において、室外機に復帰タイマーを設けて、過電圧と過電流が解除されたと検知された場合に、復帰タイマーにより前記室外通信抵抗手段を順次、一定時間ごとに切り換えて、室外通信手段への異常電圧が回避されているか検知しながら行うことにより室外通信手段の破壊を避けることを特徴とする通信制御装置。
【発明の詳細な説明】
【技術分野】
【０００１】
本発明は、室内機と室外機間で、同一接続線にて電源供給と通信を行う空気調和機の通信回路の過電圧保護に関するものである。
【背景技術】
【０００２】
従来、この種の回路としては、室内機又は室外機のどちらか一方から電源が供給され、電源の投入と同時に室内機と室外機の通信回路が接続され、互いに通信が行われるものであった（例えば、特許文献１参照）。
【０００３】
図６は、特許文献１参照に記載された従来の通信回路を示すものである。図５に示すように、室外機と室内機の両機器間に交流主回路電流を供給しうる２本の電源線３，４と１本の通信線５を配設すると共に、電源線４，５の電圧からその電圧よりも低い通信用の直流電圧を得る直流電源回路７と、両機器側にそれぞれ直列に設けられた送信用および受信用フォトカプラＰＣ１、ＰＣ２、ＰＣ１´、ＰＣ２´とを備え、室内ユニット１の送信用および受信用フォトカプラＰＣ１、ＰＣ２は、通信線５を介して室外ユニットの送信用および受信用フォトカプラＰＣ１´、ＰＣ２´と直列に接続され、かつ直流電源回路７の出力端に接続され、さらに通信線５には、通信用の直流電源電圧を上回る電圧が印加された時に保護するツェナーダイオードＺＤ、ＺＤ´と、過電圧により抵抗値が変化するＰＴＣのような過電圧保護素子との組み合わせにより構成されている。
【特許文献１】特開２００１−３３０２９７号公報
【発明の開示】
【発明が解決しようとする課題】
【０００４】
しかしながら、上記従来の構成において、室外機と室内機との誤配線の場合により、室外の過電圧保護素子の抵抗値が変化するまでの間は室外通信保護素子であるツェナーダイオードと、通信回路に電源電圧が常に印加された状態が続くので、通信回路に過電流が流れた状態になっている。室外過電圧保護素子の抵抗値と室外通信保護素子であるツェナーダイオードとの電流値は、バランスした状態で電流値は決まるので、室外過電圧保護素子側の抵抗値が低くバランスした場合は、ツェナーダイオードの電流が増えることになりツェナーダイオードが熱破壊をおこすことになる。この場合、ツェナーダイオードは、一度短絡した後、過電流により熱破壊してオープン状態となる。オープンの状態になる通信回路側に過電圧が印加されるため、室外過電圧保護素子の抵抗値が上昇する前に通信回路が破壊するという課題を有していた。
【０００５】
本発明は、前記従来の発明を解決するものであり、室外機と室内機の通信線が誤配線さされ電源電圧が通信回路に印加された場合で、過電圧保護素子が動作せずになった状態でも破壊をしない通信回路を提供することを目的とする。
【課題を解決するための手段】
【０００６】
前記課題を解決するため、本発明の通信回路は、室外機に室外過電圧保護素子と、室外通信接続手段と、室外過電圧検知手段を設けたものである。
【０００７】
これにより、通信線に電源電圧が印加された場合に、室外通信接続手段により通信回路を切断して通信回路の破壊を無くすようにするとともに、過電圧印加による対応を行う。
【発明の効果】
【０００８】
本発明の通信制御装置は、室外機の通信保護用素子の印加電圧と通信回路の電流を監視
することにより、通信線に過電圧が印加された場合で、過電圧状態が続いた場合に、通信回路を過電圧保護素子側と切り離すことにより、通信回路の損傷を避け、電源端子への過電圧印加をよる破壊対応は、通信保護用素子と過電圧保護素子により行うものである。
【発明を実施するための最良の形態】
【０００９】
第１の発明は、室外電源手段、室外制御手段、室外通信手段、室外通信接続手段、室外通信接続手段、室外過電圧保護手段、室外通信保護手段、室外過電圧検知手段、室外端子台からなる室外機と、室内電源手段、室内制御手段、室内通信手段、室内端子台からなる室内機とを備え、室外通信端子台と室内通信端子台との配線が正しく接続されず、誤配線されて室内機から室外機の通信端子台に電源電圧が印加されたとき室外機の室外過電圧保護手段と室外通信保護手段に印加される電圧を室外過電圧検知手段が検知し、その信号の検知電圧により室外制御手段は、室外通信接続手段をオフさせることにより通信回路の保護を行うことで、過電圧状態が続くことにより通信回路の発煙、発火等の回路の損傷発生を防止し、過電圧異常による通信回路の破壊を防止することができる。
【００１０】
第２の発明は、請求項１に記載の空気調和機の通信回路において、室外過電流検知手段を設け、過電圧印加時における室外通信手段に流れる過電流を検知することにより、過電流による室外通信手段の破壊を避けることができる。
【００１１】
第３の発明は、請求項１から請求項２のいずれかに記載の空気調和機の室外機において、室外通信短絡手段を設け、過電圧印加時における室外通信保護手段に印加される電圧が一定以上になると室外電圧保護手段により短絡させて、異常な過電圧から室外通信保護手段を保護するとともに、室外過電圧保護手段の動作を早めることで室外通信手段の破壊を避けることができる。
【００１２】
第４の発明は、請求項１から請求項３のいずれかに記載の空気調和機において、複数の室外通信抵抗と通信抵抗切換手段を設け、室外過電圧検知手段と室外過電流検知手段により検知された電流と、電圧が室外通信接続手段による通信回路の遮断に至らない場合で、室外通信手段の室外通信抵抗の値が過電圧の影響で、抵抗値の変化やトラッキングによる電流値の変化を繰り返していると判断された場合に、室外通信抵抗を切り換えることにより室外通信手段の破壊を避けることができる。
【００１３】
第５の発明は、第１の発明から第４の発明のいずれかの発明の通信回路において、室外機に復帰タイマーを設けて、過電圧と過電流が解除されたと検知された場合に、復帰タイマーにより前記室外保護抵抗手段を順次、一定時間ごとに切り換えて、元の室外通信抵抗の値に戻すことにより室外通信手段への異常電圧が回避されているか検知しながら、元の最適な室外通信抵抗に戻すことができる。
【００１４】
以下、本発明の実施の形態について図面を参照しながら説明。
【００１５】
（実施の形態１）
図１は、本発明の実施の形態１における空気調和機の通信制御装置のブロック図である。
【００１６】
図１において、室外電源手段１１と、室外制御手段１２と、室外通信手段１３と、室外通信接続手段１４と、室外過電圧保護通信手段１５と、室外通信保護手段１６と、室外過電圧検知手段１７と、室外通信抵抗３０と、室外端子台１８からなる室外機１と、室内電源手段２１と、室内通信制御送手段２２と、室内通信手段２３とからなる室内機２からなる。
【００１７】
以上のように構成された空気調和機の室外機１は誤配線により、室外端子台１８の電源と通信線の間違いにより、室外端子台１８と室内端子台２８の２と３が入れ替わり、その後電源が投入にされると、室内コンデンサの影響により電源が供給されると、室外過電圧手段と室外通信保護手段１６により室外通信手段１３に印加される電圧を保護するとき、室外過電圧手段１５と室外通信保護手段１６による保護電圧による電圧を室外過電圧検知手段により検知しておき、室外過電圧手段１５と室外通信保護手段１６の反応の遅れにより過電圧状態が継続している判断したとき、室外制御手段１２は、室外通信接続手段１４をオフさせることにより、室外通信手段１２と室内通信手段２２との通信回路の破壊を避けるものである。
【００１８】
（実施の形態２）
図２は、本発明の実施の形態２における空気調和機の通信制御装置のブロック図である。同図において、図１と同じ構成要素については同じ符号を用い説明を省略する。
【００１９】
図２において、請求項２に記載の空気調和機の室外機１は、室外過電流検知手段１９からなる。
【００２０】
以上のように構成された室外機１の室外制御手段１２は、過電圧印加時における室外通信手段に流れる過電流を検知することにより、その信号の検知電流により室外制御手段１２は、室外通信接続手段１４をオフさせることにより通信回路の保護を行うことで、過電流状態が続くことにより通信回路の発煙、発火等の回路の損傷発生を防止し、過電流異常による通信回路の破壊を防止するものである。
【００２１】
（実施の形態３）
図３は、本発明の実施の形態３における空気調和機の通信制御装置のブロック図である。同図において、図２と同じ構成要素については同じ符号を用い説明を省略する。
【００２２】
図３において、請求項３に記載の空気調和機の室外機１は、室外通信保護手段１５を保護する室外通信短絡手段２０からなる。
【００２３】
以上のように構成された室外機１は、通信線に電源電圧が印加された場合、室外通信保護手段からの電圧が通信保護手段の最大定格を超えた場合に通信保護短絡手段により短絡して通信保護手段を一時的に保護する。
【００２４】
（実施の形態４）
図４は、本発明の実施の形態４における空気調和機の通信制御装置のブロック図である。同図において、実施の形態３で説明した部分については同じ符号を用い説明を省略する。
【００２５】
図４において、請求項４に記載の空気調和機の室外機１は、請求項１から請求項３にある室外通信抵抗３０の代わりに、室外通信抵抗３１と３２、室外通信抵抗切換手段３３と３４からなる。
【００２６】
以上のように構成された室外機１は、通信線に電源電圧が印加された場合、室外過電圧検知手段１６、室外過電流検知手段１９からの電圧と電流値が、所定の値に留まらず変化を繰り返したり、室外過電圧保護手段１５との間で室外通信抵抗が変化し、室外通信手段１２に印加される電圧が変化を繰り返した場合に、室外通信抵抗切換手段３３と３２により、室外通信抵抗３１と３２を切り換えて、室外通信手段の破壊回避を行う。
【００２７】
（実施の形態５）
図５は、本発明の実施の形態５における空気調和機の通信制御装置のブロック図である。同図において、実施の形態４で説明した部分については同じ符号を用い説明を省略する。
【００２８】
図５において、請求項１から請求項４に記載の通信回路は、室外タイマー手段３５からなる。
【００２９】
以上のように構成された空気調和機の室外機１は、室外過電圧検知手段１７と室外過電流検知手段１９からの電圧、電流が低下して復帰したと判断された際に、室外通信抵抗３１、３２が室外通信抵抗切換手段３３と３２により切り換えられていた場合は、室外タイマー手段３３により順次室外通信抵抗を切り換えて、室外過電圧保護手段１５の抵抗値回復が早くなっても、急に室外通信手段１２に元の通信電圧が復帰するのを遅らせることにより、誤配線からの解除が確実に行われてから復帰させる。
【産業上の利用可能性】
【００３０】
以上のように、本発明にかかる通信回路は、室外機と室内機の通信回路が誤配線により通信回路に電源電圧が印加された場合に通信回路とその保護手段が破壊されることを防ぐことができるので、空気調和機以外にも、分離された機器間で通信を行う用途に広く適用することができる。
【図面の簡単な説明】
【００３１】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】本発明の実施の形態４における空気調和機の構成ブロック図
【図５】本発明の実施の形態５における空気調和機の構成ブロック図
【図６】従来の空気調和機の構成ブロック図
【符号の説明】
【００３２】
１  室外機
１１  室外電源手段
１２  室外制御手段
１３  室外通信手段
１４  室外通信接続手段
１５  室外過電圧保護手段
１６  室外通信保護手段
１７  室外過電圧検知手段
１８  室外端子台
１９  室外過電流検知手段
２０  室外通信短絡手段
２  室内機
２１  室内電源手段
２２  室内制御手段
２３  室内通信手段
２８  室内端子台
３０  室外保護抵抗
３１  室外通信抵抗１
３２  室外通信抵抗２
３３  室外通信抵抗切換１
３４  室外通信抵抗切換２
３５  室外タイマー手段
【図１】
2010236757.tif 000003
【図２】
2010236757.tif 000004
【図３】
2010236757.tif 000005
【図４】
2010236757.tif 000006
【図５】
2010236757.tif 000007
【図６】
2010236757.tif 000008